(57)【要約】      （修正有）【課題】冷陰極蛍光ランプを使用することにより、全方向に照射することができるようにした蛍光灯を提供する。【解決手段】所望長さの冷陰極蛍光ランプ２と、該蛍光ランプを支持する透明若しくは半透明のランプ支持部材３と、該ランプ支持部材を保持する透明若しくは半透明の取付け部材４と、該取付け部材の端部を管内壁面に当接させて該取付け部材を介して前記冷陰極蛍光ランプを内包し支持する透明もしくは半透明のカバー５とでなる蛍光管１とする。【選択図】図１
0003172896.tif 000002
【実用新案登録請求の範囲】
【請求項１】
所望長さの冷陰極蛍光ランプと、
該蛍光ランプを支持する透明若しくは半透明のランプ支持部材と、
該ランプ支持部材を保持する透明若しくは半透明の取付け部材と、
該取付け部材の端部を管内壁面に当接させて該取付け部材を介して前記冷陰極蛍光ランプを内包し支持する透明もしくは半透明のカバーとでなること、
を特徴とする蛍光管。
【請求項２】
冷陰極蛍光ランプは、一つ、または、二つ以上であること、
を特徴とする請求項１に記載の蛍光管。
【請求項３】
蛍光管の内周壁面に該蛍光管の長手方向に沿って、取付け部材の端部を支持する支持突起が連続して、若しくは、不連続にして設けられていること、
を特徴とする請求項１または２に記載の蛍光管。
【請求項４】
蛍光管内部の空気を外部に逃す空気孔が、少なくとも蛍光管の上部側に設けられていること、
を特徴とする請求項１乃至３のいずれかに記載の蛍光管。
【請求項５】
蛍光管内部の空気を外部に逃す空気孔が、取付け部材と蛍光管の側壁とに設けられていること、
を特徴とする請求項１乃至４のいずれかに記載の蛍光管。
【請求項６】
請求項１乃至請求項５のいずれか一項に記載の蛍光管を有し、該蛍光管用の電極と点灯用回路を備えてなること、
を特徴とする蛍光灯。
【考案の詳細な説明】
【技術分野】
【０００１】
本考案は、冷陰極蛍光ランプ（ＣＣＦＬ：Cold Cathode  Fluorescent  Lamp）を使用した蛍光管と該蛍光管を使用した蛍光灯に関するものである。
【背景技術】
【０００２】
従来、冷陰極蛍光ランプを使用した蛍光灯は、一般の蛍光ランプよりも管の径が細く（２ｍｍ〜５ｍｍ程度）、且つ、長寿命であるため、主に液晶モニタを有するパソコン用若しくは液晶テレビジョン用のバックライトとして使用されている。例えば、遊技機の液晶表示装置のバックライトに使用されている例として特許文献１が知られている。
【先行技術文献】
【特許文献】
【０００３】
【特許文献１】特開２０１１−６７４２８号公報
【考案の概要】
【考案が解決しようとする課題】
【０００４】
従来の冷陰極蛍光ランプを使用した蛍光管は、液晶パネルのバックライトに使用するものが多い。また、近年では陰極材料が改善され、陰極降下電圧を下げて発光効率が改善されてきている。しかしながら、冷陰極蛍光ランプの用途は調光可能なことからバックライトで使用されるばかりで、周囲全方向に光が照射するようにして蛍光灯に用いたものが無かった。更に、ＬＥＤによる照明灯では、ＬＥＤ用の基板が必要で、片面側にしか照射できないので全方向に照射することは不可能である。そこで、本考案に係る蛍光管と蛍光灯は、このような課題を解決するために提案されたものである。
【課題を解決するための手段】
【０００５】
本考案に係る蛍光管の上記課題を解決して目的を達成するための要旨は、所望長さの冷陰極蛍光ランプと、該蛍光ランプを支持する透明若しくは半透明のランプ支持部材と、該ランプ支持部材を保持する透明若しくは半透明の取付け部材と、該取付け部材の端部を管内壁面に当接させて該取付け部材を介して前記冷陰極蛍光ランプを内包し支持する透明もしくは半透明のカバーとでなることである。
【０００６】
前記冷陰極蛍光ランプは、一つ、または、二つ以上であることを含むものである。
前記蛍光管の内周壁面に該蛍光管の長手方向に沿って、取付け部材の端部を支持する支持突起が連続して、若しくは、不連続にして設けられていることを含む。
前記蛍光管内部の空気を外部に逃す空気孔が、少なくとも蛍光管の上部側に設けられていることを含み、更に、前記蛍光管内部の空気を外部に逃す空気孔が、取付け部材と蛍光管の側壁とに設けられていることを含むものである。
【０００７】
本考案に係る蛍光灯の上記課題を解決して目的を達成するための要旨は、上記の蛍光管を有し、該蛍光管用の電極と点灯用回路を備えてなることである。
【考案の効果】
【０００８】
本考案の蛍光管と蛍光灯によれば、蛍光管の全周囲に照射されるので、冷陰極蛍光ランプによる長寿命で明るい蛍光灯ができる。また、この細長い冷陰極蛍光ランプを複数個備えた蛍光管にすることが可能であり、調光できる範囲が拡大する。
蛍光管の内周壁面に該蛍光管の長手方向に沿って、取付け部材の端部を支持する支持突起が連続して、若しくは、不連続にして設けられているので、蛍光管の組立作業において、筒状のカバーに冷陰極蛍光ランプを保持した取付け部材を、前記カバーの片側の開口部から摺接させて滑るように差し込むことができるようになり、組立て作業が容易で短時間でできるようになる。
前記蛍光管に空気抜き孔を設けることで、もともと発熱量が小さい冷陰極蛍光ランプを使用する蛍光管の発熱量がより一層低減される。
【図面の簡単な説明】
【０００９】
【図１】本考案に係る蛍光管の一部破断して中を示す斜視図（Ａ）と、他の実施例に係る斜視図である。
【図２】同本考案に係る蛍光管１の側面図（Ａ）、蛍光管短部の一部斜視図（Ｂ）である。
【図３】蛍光管１における取付け部材の平面図である。
【図４】蛍光管１ａの断面図である。
【図５】蛍光管１ａを使用した蛍光灯の断面図である。
【考案を実施するための形態】
【００１０】
本考案に係る蛍光管は、冷陰極蛍光ランプを蛍光灯に使用したものである。
【実施例１】
【００１１】
本考案に係る蛍光管１は、図１（Ａ）に示すように、所望長さの冷陰極蛍光ランプ２と、  該蛍光ランプ２を支持する透明若しくは半透明のランプ支持部材３と、該ランプ支持部材３を保持する透明若しくは半透明で平板状の取付け部材４と、該取付け部材４の端部４ａを管内壁面５ａに当接させて該取付け部材４を介して前記冷陰極蛍光ランプ２を内包し支持する透明もしくは半透明のカバー５とでなる。
【００１２】
前記冷陰極蛍光ランプ２は、一つである場合もあるし、または、二つ、三つ以上である場合もある。図２（Ａ）に示す蛍光管１は、冷陰極蛍光ランプ２が、二つの場合を示すものである。前記ランプ支持部材３は、合成樹脂製（たとえば、アクリル樹脂製）で透明若しくは半透明の略半円形状の支持部材である。
【００１３】
前記取付け部材４は、合成樹脂製（たとえば、アクリル樹脂製）で透明若しくは半透明の板部材であって、前記ランプ支持部材３を保持している。このランプ支持部材３と取り付け部材４とは、一体成形で形成してもよく、別部材でもよい。
【実施例２】
【００１４】
前記取付け部材４は、図１（Ｂ）に示す他の実施例のように、カバー５によって支持させるための放射状の柱状スペーサ６と、ランプ支持部材３を支持する放射状の柱状ランプ支持部材６ａとであってもよい。この柱状ランプ支持部材６ａを、カバー５の長手方向に３〜４箇所に設け、長手方向における互いの柱状スペーサ６，６、若しくは、柱状ランプ支持部材６ａ，６ａを、板状部材などで連結しても良いし、連結しなくても良い。
【００１５】
前記蛍光管１の内周壁面５ａに該蛍光管１の長手方向に沿って、取付け部材４の端部４ａを支持する支持突起５ｂが連続して、若しくは、不連続にして設けられている。これは、前記取付け部材４に冷陰極蛍光ランプ２をランプ支持部材３を介して取り付けたユニットを、カバー５の片方の開口部から差し込んで挿着するための支持突起５ｂである。
【００１６】
前記支持突起５ｂは、カバー５に一体にして形成されているが、別部材であっても良く、このほか、公知のスライド用支持レール手段等を採用できるものである。この支持突起５ｂも合成樹脂製で透明若しくは半透明の部材である。
【実施例３】
【００１７】
図１（Ａ），（Ｂ）に示すように、前記蛍光管１内部の空気を外部に逃す空気孔が、少なくとも蛍光管１の上部側に設けられている。具体的には、前記カバー５の上側に空気孔５ｃが、その長手方向に沿って所望の間隔をおいて穿孔されている。
【００１８】
また、図２（Ｂ）に示すように、蛍光管１の両側面の側壁１ｂにおいて、空気孔１ｃを一つ、若しくは二つ以上で穿孔されている。更に、蛍光管１内部の空気を外部に逃す空気孔４ｂが、取付け部材４に設けられている。このように、空気孔を設けることで、蛍光管１の温度上昇をより低くするものである。
【実施例４】
【００１９】
図３乃至図４に示す取付け部材７は、前記ランプ支持部材３を支持する放射状の柱状ランプ支持部材６ａを、長手方向において互いの柱状ランプ支持部材６ａ，６ａを連結板７で連結したものである。この連結板７には、長孔の空気孔７ａが穿孔されている。
【実施例５】
【００２０】
図５に示すように、蛍光灯８は、その筐体８ａに前記蛍光管１ａを有し、該蛍光管１ａ用の電極と点灯用回路であるインバータ回路を備えてなる。そして、全方向に照射する前記蛍光管１ａを有効に使用すべく、反射板９を備えている。
【００２１】
これによって、従来のＬＥＤ照明管ではＬＥＤを実装したプリント基板があって、上半分には光が照射されていなかったが、この冷陰極蛍光ランプ２を使用した蛍光管１ａであれば、その管の軸心周りの３６０°全方向に照射するものである。よって、無駄なく照射するので、蛍光灯として十分に使用できるものである。
【産業上の利用可能性】
【００２２】
本考案に係る蛍光管と蛍光灯は、室内の照明としては勿論であり、屋外の照明用若しくは道路の街路灯にも使用できるものである。
【符号の説明】
【００２３】
１，１ａ    蛍光管、            １ｂ        側壁、
１ｃ        空気孔、
２          冷陰極蛍光ランプ、
３          ランプ支持部材、
４          取付け部材、        ４ａ        端部、  
５          カバー、            ５ａ        管内壁面、  
６          柱状スペーサ、      ６ａ        柱状ランプ支持部材、
７          取付け部材、        ７ａ        空気孔、
８          蛍光灯、            ８ａ        筐体、
９          反射板。
【図１】
0003172896.tif 000003
【図２】
0003172896.tif 000004
【図３】
0003172896.tif 000005
【図４】
0003172896.tif 000006
【図５】
0003172896.tif 000007